(57)【要約】【課題】ラッチ板とロッドとを枢支する枢軸の加工、装着に手間がかからず、かつこれを確実に固定できるロックハンドル装置を提供する。【解決手段】扉用ロックハンドル装置は、筐体の扉の前面側に配置されるハンドルと、このハンドルの操作により扉の表面と平行に正逆回転するように扉の背面側に配置されるラッチ板６と、このラッチ板６の回転により軸方向に進退自在のロッド２２とを具備する。ロッド２２は、基端が枢軸２３によりラッチ板６に枢支され、軸方向進退により先端側が直接又は間接に筐体に係合離脱自在である。枢軸２３の本体は、大径の頭部２４と、これより小径でラッチ板６とロッド２２とを貫通する軸部２５とを有する。抜け止め部材２６を軸部２５に固定する。軸部２５には、軸線方向に並んだ複数の係合溝２５ａを形成する。抜け止め部材２６は、軸部の係合溝２５ａに選択的に係合可能な係合爪２６ａを有するプッシュナットで構成する。【選択図】図４
2010180542.tif 000002
【特許請求の範囲】
【請求項１】
筐体に開閉自在に設けられる扉の前面側に配置されるハンドルと、このハンドルの操作により扉の表面と平行に正逆回転するように扉の背面側に配置されるラッチ板と、このラッチ板の回転により軸方向に進退自在となるように基端が枢軸によりラッチ板に枢支され軸方向進退により先端側が直接または間接に筐体に係合離脱自在のロッドとを具備し、
前記枢軸は、大径の頭部と、これより小径で前記ラッチ板とロッドとを貫通する軸部とを有する本体と、この軸部に固定される抜け止め部材とを具備し、
前記枢軸の軸部には、軸線方向に並んだ複数の環状の係合溝が形成され、
前記枢軸の抜け止め部材は、前記軸部の係合溝に選択的に係合可能な係合爪を有するプッシュナットで構成されることを特徴とする扉用ロックハンドル装置。
【発明の詳細な説明】
【技術分野】
【０００１】
この発明は、配電盤ボックスの扉等に使用されるロックハンドル装置に関する。
【背景技術】
【０００２】
従来、配電盤ボックスの扉等に使用されるロックハンドル装置は、扉の前面側に配置されるハンドルと、このハンドルの操作により、扉の表面と平行に正逆回転するように扉の背面側に配置されるラッチ板と、このラッチ板の回転により軸方向に進退自在となるように基端がラッチ板に枢支されるロッドとを具備する。ハンドルの起立回転または起立後の回転操作により、ラッチ板が回転し、これに伴いロッドが軸方向に進退し、その先端側が直接または間接に筐体に係合離脱自在に構成される（例えば特許文献１参照）。この種のロックハンドル装置においては、ラッチ板にロッドを枢支するための部材が、リベットをかしめ止めして構成される。
【先行技術文献】
【特許文献】
【０００３】
【特許文献１】特開２００１−３１７２５３号公報
【発明の概要】
【発明が解決しようとする課題】
【０００４】
上記従来のロックハンドル装置おけるラッチ板とロッドの枢支部材は、かしめ加工に手間がかかる難点がある。
したがって、この出願に係る発明は、ラッチ板とロッドとを枢支する枢支部材の加工に手間がかからず、かつこれを確実に固定することができるロックハンドル装置を提供することを課題としている。
【課題を解決するための手段】
【０００５】
上記課題を解決するこの出願に係る発明の扉用ロックハンドル装置は、筐体に開閉自在に設けられる扉３１の前面側に配置されるハンドル１０と、このハンドル１０の操作により扉３１の表面と平行に正逆回転するように扉の背面側に配置されるラッチ板６と、このラッチ板６の回転により軸方向に進退自在となるように基端が枢軸２３によりラッチ板６に枢支され、軸方向進退により先端側が直接または間接に筐体に係合離脱自在のロッド２２とを具備する。枢軸２３は、大径の頭部２４と、これより小径でラッチ板６とロッド６とを貫通する軸部２５とを有する本体と、この軸部２５に固定される抜け止め部材２６とを具備する。枢軸の軸部２５には、軸線方向に並んだ複数の環状係合溝２５ａが形成される。枢軸の抜け止め部材２６は、軸部２５の係合溝２５ａに選択的に係合可能な係合爪３６ａを有するプッシュナットで構成される。
【発明の効果】
【０００６】
この出願に係る発明の扉用ロックハンドル装置によれば、ラッチ板６とロッド２２とを枢支する枢軸２３の加工、装着に手間がかからず、かつこれを確実に固定することができ、したがって、相対的に低コストで製作できる。
【図面の簡単な説明】
【０００７】
【図１】ロックハンドル装置の断面図である。
【図２】図１のロックハンドル装置の正面図である。
【図３】図１のロックハンドル装置のハンドルが起立した状態の断面図である。
【図４】図１のロックハンドル装置におけるラッチ板とロッドの枢支部の拡大断面図である。
【発明を実施するための形態】
【０００８】
図面を参照してこの発明の実施の形態を説明する。
ベース１は、扉３１の取付孔３１ａに扉３１の前面側から嵌め込まれ、扉３１の背面側から嵌め合わされてねじ止めされる座金板２によって、扉３１に締め付け固着される。ベース１の周縁部と扉３１の前面との間にはパッキング部材３が挿入される。
【０００９】
ベース１の上部背面には、扉３１の前面と直角に軸受筒部４が突出しており、軸受筒部４には施錠軸５が嵌挿されている。施錠軸５は、軸方向への移動を制止されており、施錠軸５の後端である基端の角軸部には、ラッチ板６が相対回転不能に嵌められ、ボルト７によって施錠軸５に締め付け固着される。ラッチ板６の左右両側には、ロッド２２の基端が、枢軸２３で枢支される。ロッド２２は、ラッチ板６の回転により軸方向に進退自在であり、軸方向進退により、図示しない先端側が直接または間接に筐体に係合離脱自在である。
【００１０】
枢軸２３は、大径の頭部２４と、これより小径でラッチ板６とロッド２２とを貫通する軸部２５とを有する本体と、この軸部２５に固定される抜け止め部材２６とを具備する。軸部２５には、軸線方向に並んだ複数の環状の係合溝２５ａが形成される。この係合溝は、好適には、例えば０．４〜０．６mmのピッチで形成することができる。抜け止め部材２６は、軸部２５の係合溝２５ａに選択的に係合可能な係合爪２６ａを有するプッシュナットで構成される。したがって、抜け止め部材２６は、ラッチ板６とロッド２２とを貫通した軸部２５に、先端側から挿入して、ラッチ板６に当接する位置まで押し込むだけで、係合爪２６ａが対応位置の係合溝２５ａに係合することで、容易に適正位置に固定される。
【００１１】
ベース１の下部背面には、扉３１の前面と直角に錠受筒部８が突出している。錠受筒部８には、ハンドル１０をベース１に拘束するためのシリンダ錠９が嵌合固定される。
【００１２】
ハンドル１０の基端部である上端部の背面側には、一対の軸受け部１１が突設される。一対の軸受け部１１の間には、施錠軸５の先端部が挿入される。ハンドル１０は、扉３１の前面と平行な横断軸１２によって施錠軸５の先端部に枢着され、図１に示すように、ベース１に対して倒伏した位置と、図３に示すように、ベース１に対して斜めに起立した位置との間で起伏回転する。
【００１３】
ハンドル１０の先端側には、シリンダ錠９を操作するための図示しないキーを挿入する挿入窓２０と、シリンダ錠９の施錠、解錠の状態を目視確認するための目視窓２１とが、合わせてだるま型孔として形成される。
【００１４】
図１に示すように、ハンドル１０がベース１に対して倒伏したとき、ハンドル１０の主体部分はベース１の正面側凹部１３に没入する。この倒伏状態において、ラッチ板６が筐体の固定枠体３２の受金部３３に係合すると共に、ロッド２２の先端側が直接または間接に、固定枠体３２に係合して、扉３１が拘束される。また、この状態で、シリンダ錠９によりハンドル１０をベース１に錠止することができる。シリンダ錠９の操作は、ハンドルの倒伏状態において、挿入窓２０からキーを挿入して行われる。ハンドルの倒伏状態において、シリンダ錠９の前面に形成された施錠または解錠を示す２つの標識９ａ，９ｂのいずれかが、その状態に応じて目視窓２１から前面側へ露出する。
【００１５】
ハンドル１０は起立状態においてばね１９で保持される。この起立状態において、使用者がハンドル１０を握って施錠軸５を中心に回転操作すると、ラッチ板６が筐体の固定枠体３２に固定された受金部３３から離脱すると共に、ロッド２２の図示しない先端側が、直接または間接に固定枠体３２から離脱する。固定枠体３２に対する扉３１の施錠が解除される。扉３１はハンドル１０をそのまま手前に引くことによって開放され、筐体内に装置されている機器を点検修理したり使用したりすることができる。扉３１を閉じて、ハンドル１０を反対方向へ回転操作することによって，再びラッチ板６が受金部３３に係合し、ロッド２２の先端側が、直接または間接に固定枠体３２に係合する。ハンドル１０を倒伏させて、図示しないキーによりシリンダ錠９で施錠する。
【００１６】
なお、ハンドルの起立回転に連動して、ラッチ板が回転し、これに伴いロッドが軸方向に進退し、その先端側が直接または間接に筐体に係合離脱自在に構成されるロックハンドル装置にも本発明を適用することができる。
【符号の説明】
【００１７】
１    ベース
２    座金板
３    パッキング
４    軸受け筒部
５    施錠軸
６    ラッチ板
７    ボルト
８    錠受け筒部
９    シリンダ錠
９ａ  標識
９ｂ  標識
１０  ハンドル
１１  軸受け部
１２  横断軸
１３  凹部
１９  ばね
２０  挿入窓
２１  目視窓
２２  ロッド
２３  枢軸
２４  頭部
２５  軸部
２５ａ  係合溝
２６  抜け止め部材（プッシュナット）
２６ａ  係合爪
３１  扉
３１ａ  孔
３２  筐体
３３  受金
【図１】
2010180542.tif 000003
【図２】
2010180542.tif 000004
【図３】
2010180542.tif 000005
【図４】
2010180542.tif 000006